(57)【要約】      （修正有）【課題】測定部位に対応し、スキャン密度を可変としたレーザスキャナを提供する。【解決手段】測距光を発する発光素子と、前記測距光を射出する測距光射出部と、反射測距光を受光する受光部と、前記反射測距光を受光し、受光信号を発生する受光素子とを有し、受光素子からの受光信号に基づき測定対象物の測距を行う測距部と、測距光軸４０上に設けられ、測距光軸を偏向する光軸偏向部と、測距光軸の偏角を検出する射出方向検出部と、光軸偏向部の偏向作動及び測距部の測距作動を制御する制御部とを具備し、光軸偏向部は、測距光軸上を中心として回転可能な一対の光学プリズムと、光学プリズムを個々に独立して回転するモータとを具備し、制御部は、一対の光学プリズムの回転方向、回転速度、回転比の制御により光軸偏向部による偏向を制御し、設定された測定範囲で測距光をスキャンし、又測定範囲に対応したスキャン条件でスキャンデータを取得する様構成した。【選択図】図１
2018066571.tif 000002
【特許請求の範囲】
【請求項１】
測距光を発する発光素子と、前記測距光を射出する測距光射出部と、反射測距光を受光する受光部と、前記反射測距光を受光し、受光信号を発生する受光素子とを有し、該受光素子からの前記受光信号に基づき測定対象物の測距を行う測距部と、測距光軸上に設けられ、該測距光軸を偏向する光軸偏向部と、前記測距光軸の偏角を検出する射出方向検出部と、前記光軸偏向部の偏向作動及び前記測距部の測距作動を制御する制御部とを具備し、前記光軸偏向部は、前記測距光軸上を中心として回転可能な一対の光学プリズムと、該光学プリズムを個々に独立して回転するモータとを具備し、前記制御部は、前記一対の光学プリズムの回転方向、回転速度、回転比の制御により前記光軸偏向部による偏向を制御し、設定された測定範囲で前記測距光をスキャンし、又前記測定範囲に対応したスキャン条件でスキャンデータを取得する様構成したレーザスキャナ。
【請求項２】
前記制御部は、前記２つの光学プリズムを所定の関係で全周回転させることで測定可能な全範囲を全体スキャンする請求項１に記載のレーザスキャナ。
【請求項３】
測定可能な全範囲内の一部に局所測定範囲を設定し、前記制御部は、前記２つの光学プリズムをそれぞれ個別に所定の偏角範囲で回転し、又前記２つの光学プリズムを一体に所定の角度で回転させ、前記局所測定範囲を局所スキャンさせる請求項１又は請求項２に記載のレーザスキャナ。
【請求項４】
前記制御部は、前記局所測定範囲の測定対象物の状況に対応させ、スキャン密度を設定する請求項３に記載のレーザスキャナ。
【請求項５】
前記光軸偏向部によって偏向されない前記測距光軸と平行な撮像光軸を有する撮像部と、画像処理部とを更に具備し、該画像処理部は前記撮像部により取得した画像からエッジ抽出処理をし、前記制御部は抽出されたエッジを含む様に前記局所測定範囲を設定する請求項３に記載のレーザスキャナ。
【請求項６】
前記光軸偏向部によって偏向されない前記測距光軸と平行な撮像光軸を有する撮像部を更に具備し、該撮像部による画像取得とスキャンとは同期される請求項１に記載のレーザスキャナ。
【請求項７】
前記局所スキャンに於けるスキャン密度は、全体スキャンより細密である請求項３〜請求項５の内いずれか１つに記載のレーザスキャナ。
【請求項８】
前記スキャンデータは、距離データと反射光量データとを含み、前記距離データに基づき距離に応じた表示で作成される距離画像、又は反射光量データに基づく濃淡表示で作成される距離画像が作成される請求項１に記載のレーザスキャナ。
【請求項９】
全体スキャンと同期させて第１画像を取得し、局所スキャンと同期させて第２画像を取得し、前記全体スキャンの結果と前記局所スキャンの結果とを前記第１画像と前記第２画像との画像マッチングで合成する請求項６に記載のレーザスキャナ。
【請求項１０】
前記制御部は、前記測定範囲内で複数の前記局所測定範囲を前記局所スキャンし、得られた該局所スキャンの結果に基づき、前記撮像部で取得した画像の補正を行う請求項５に記載のレーザスキャナ。
【請求項１１】
前記局所スキャンは、前記測距光のビーム径より小さく、ビームスポットが重なり合う測定ピッチで行われる請求項３〜請求項５又は請求項７又は請求項１０の内いずれか１つに記載のレーザスキャナ。
【発明の詳細な説明】
【技術分野】
【０００１】
本発明は点群データを取得するレーザスキャナに関するものである。
【背景技術】
【０００２】
近年、土木、建築の分野で距離測定、形状測定を行うものとして点群データを取得するレーザスキャナが用いられている。
【０００３】
従来のレーザスキャナでは、スキャン領域を事前に範囲設定し、一旦スキャン条件（例えば、スキャン速度、発光周波数）を設定すると、設定したスキャン条件でスキャン領域全体をスキャンする様になっている。
【０００４】
一方、測定対象物が単調な形状をしている場合は、スキャン密度（単位面積当りの測定点データ数（点群密度））は実用上低くてもよく、或は複雑な形状をしている場合、点群密度は高い方がよい。従って、点群密度は要求が最も高いスキャン条件で設定されている。従って、単調な形状の部位（例えば、建築物の壁面）でも高密度でスキャンしなければならず、膨大なスキャンデータを取得しなければならず、実用的、経済的ではなかった。
【先行技術文献】
【特許文献】
【０００５】
【特許文献１】特開２０１６−１５１４２２号公報
【特許文献２】特開２０１６−１５１４２３号公報
【発明の概要】
【発明が解決しようとする課題】
【０００６】
本発明は、スキャン密度を可変可能とし、測定部位に対応し、スキャン密度を可変としたレーザスキャナを提供するものである。
【課題を解決するための手段】
【０００７】
本発明は、測距光を発する発光素子と、前記測距光を射出する測距光射出部と、反射測距光を受光する受光部と、前記反射測距光を受光し、受光信号を発生する受光素子とを有し、該受光素子からの前記受光信号に基づき測定対象物の測距を行う測距部と、測距光軸上に設けられ、該測距光軸を偏向する光軸偏向部と、前記測距光軸の偏角を検出する射出方向検出部と、前記光軸偏向部の偏向作動及び前記測距部の測距作動を制御する制御部とを具備し、前記光軸偏向部は、前記測距光軸上を中心として回転可能な一対の光学プリズムと、該光学プリズムを個々に独立して回転するモータとを具備し、前記制御部は、前記一対の光学プリズムの回転方向、回転速度、回転比の制御により前記光軸偏向部による偏向を制御し、設定された測定範囲で前記測距光をスキャンし、又前記測定範囲に対応したスキャン条件でスキャンデータを取得する様構成したレーザスキャナに係るものである。
【０００８】
又本発明は、前記制御部は、前記２つの光学プリズムを所定の関係で全周回転させることで測定可能な全範囲を全体スキャンするレーザスキャナに係るものである。
【０００９】
又本発明は、測定可能な全範囲内の一部に局所測定範囲を設定し、前記制御部は、前記２つの光学プリズムをそれぞれ個別に所定の偏角範囲で回転し、又前記２つの光学プリズムを一体に所定の角度で回転させ、前記局所測定範囲を局所スキャンさせるレーザスキャナに係るものである。
【００１０】
又本発明は、前記制御部は、前記局所測定範囲の測定対象物の状況に対応させ、スキャン密度を設定するレーザスキャナに係るものである。
【００１１】
又本発明は、前記光軸偏向部によって偏向されない前記測距光軸と平行な撮像光軸を有する撮像部と、画像処理部とを更に具備し、該画像処理部は前記撮像部により取得した画像からエッジ抽出処理をし、前記制御部は抽出されたエッジを含む様に前記局所測定範囲を設定するレーザスキャナに係るものである。
【００１２】
又本発明は、前記光軸偏向部によって偏向されない前記測距光軸と平行な撮像光軸を有する撮像部を更に具備し、該撮像部による画像取得とスキャンとは同期されるレーザスキャナに係るものである。
【００１３】
又本発明は、前記局所スキャンに於けるスキャン密度は、全体スキャンより細密であるレーザスキャナに係るものである。
【００１４】
又本発明は、前記スキャンデータは、距離データと反射光量データとを含み、前記距離データに基づき距離に応じた表示で作成される距離画像、又は反射光量データに基づく濃淡表示で作成される距離画像が作成されるレーザスキャナに係るものである。
【００１５】
又本発明は、全体スキャンと同期させて第１画像を取得し、局所スキャンと同期させて第２画像を取得し、前記全体スキャンの結果と前記局所スキャンの結果とを前記第１画像と前記第２画像との画像マッチングで合成するレーザスキャナに係るものである。
【００１６】
又本発明は、前記制御部は、前記測定範囲内で複数の前記局所測定範囲を前記局所スキャンし、得られた該局所スキャンの結果に基づき、前記撮像部で取得した画像の補正を行うレーザスキャナに係るものである。
【００１７】
更に又本発明は、前記局所スキャンは、前記測距光のビーム径より小さく、ビームスポットが重なり合う測定ピッチで行われるレーザスキャナに係るものである。
【発明の効果】
【００１８】
本発明によれば、測距光を発する発光素子と、前記測距光を射出する測距光射出部と、反射測距光を受光する受光部と、前記反射測距光を受光し、受光信号を発生する受光素子とを有し、該受光素子からの前記受光信号に基づき測定対象物の測距を行う測距部と、測距光軸上に設けられ、該測距光軸を偏向する光軸偏向部と、前記測距光軸の偏角を検出する射出方向検出部と、前記光軸偏向部の偏向作動及び前記測距部の測距作動を制御する制御部とを具備し、前記光軸偏向部は、前記測距光軸上を中心として回転可能な一対の光学プリズムと、該光学プリズムを個々に独立して回転するモータとを具備し、前記制御部は、前記一対の光学プリズムの回転方向、回転速度、回転比の制御により前記光軸偏向部による偏向を制御し、設定された測定範囲で前記測距光をスキャンし、又前記測定範囲に対応したスキャン条件でスキャンデータを取得する様構成したので、不要なスキャンをせず、効率よくスキャンデータを取得することができるという優れた効果を発揮する。
【図面の簡単な説明】
【００１９】
【図１】本発明の実施例に係るレーザスキャナを具備した測量システムの外観図である。
【図２】該レーザスキャナの概略構成図である。
【図３】該レーザスキャナに於ける光軸偏向部の概略図である。
【図４】（Ａ）〜（Ｃ）は、該光軸偏向部の作用説明図である。
【図５】前記レーザスキャナで実行されるスキャンパターンの一例を示す図である。
【図６】（Ａ）は該レーザスキャナで実行される局所スキャンのパターンの一例を示す図、（Ｂ）は局所スキャンのパターンの他の例を示す図である。
【図７】該レーザスキャナで測定範囲全域をスキャンする場合の全体スキャンの説明図である。
【図８】該レーザスキャナで局所スキャンする場合の説明図である。
【図９】該レーザスキャナで全体スキャンした結果と、局所スキャンした結果を重合させた状態の説明図である。
【図１０】該局所スキャンを利用して画像補正をする場合の説明図である。
【図１１】本実施例の測定作用についてのフローチャートである。
【図１２】局所スキャンで、分解能を向上させた場合の説明図である。
【発明を実施するための形態】
【００２０】
以下、図面を参照しつつ本発明の実施例を説明する。
【００２１】
先ず、図１に於いて、本実施例に係るレーザスキャナを具備する測量システムについて概略を説明する。
【００２２】
図１中、１は測量システムであり、Ｏは光軸が偏向されていない状態での測距光軸を示し、この時の測距光軸を基準光軸とする。
【００２３】
前記測量システム１は、主に支持装置としての三脚２、レーザスキャナ３、操作装置４、回転台５から構成される。該回転台５は前記三脚２の上端に取付けられ、前記回転台５に前記レーザスキャナ３が横回転可能及び縦回転可能に取付けられる。又、前記回転台５は、前記レーザスキャナ３の横方向の回転角（水平方向の回転角）を検出する機能を具備している。
【００２４】
前記回転台５には横方向に延びるレバー７が設けられる。該レバー７の操作により、前記レーザスキャナ３を上下方向（鉛直方向）、又は横方向（水平方向）に回転させることができ、又所要の姿勢で固定することも可能となっている。
【００２５】
前記レーザスキャナ３は、測距部（後述）、姿勢検出部（後述）を内蔵し、前記測距部は測距光を測定対象物、或は測定範囲に射出し、反射測距光を受光して測距を行う。又、前記姿勢検出部は、前記レーザスキャナ３の鉛直（又は水平）に対する姿勢を高精度に検出可能である。
【００２６】
前記操作装置４は、前記レーザスキャナ３との間で有線、無線等所要の手段を介して通信を行う通信機能を有する。又、前記操作装置４は、アタッチメント８を介して前記レーザスキャナ３に着脱可能となっており、取外した前記操作装置４は片手で保持し、操作可能であり、該操作装置４により前記レーザスキャナ３を遠隔操作可能となっている。
【００２７】
更に、前記レーザスキャナ３からは、画像、測定状態、測定結果等が前記操作装置４に送信され、該画像、測定状態、測定結果等が、前記操作装置４に記憶され、或は表示部（図示せず）に表示される様になっている。該操作装置４は、例えばスマートフォンであってもよい。
【００２８】
図２を参照して、前記レーザスキャナ３について説明する。
【００２９】
前記レーザスキャナ３は、測距光射出部１１、受光部１２、測距演算部１３、撮像部１４、射出方向検出部１５、モータドライバ１６、姿勢検出部１７、第１通信部１８、演算制御部１９、第１記憶部２０、撮像制御部２１、画像処理部２２を具備し、これらは筐体９に収納され、一体化されている。尚、前記測距光射出部１１、前記受光部１２、前記測距演算部１３等は測距部を構成する。
【００３０】
前記測距光射出部１１は射出光軸２６を有し、該射出光軸２６上に発光素子２７、例えばレーザダイオード（ＬＤ）が設けられている。又、前記射出光軸２６上に投光レンズ２８が設けられている。更に、前記射出光軸２６上に設けられた偏向光学部材としての第１反射鏡２９と、受光光軸３１（後述）上に設けられた偏向光学部材としての第２反射鏡３２とによって、前記射出光軸２６は、前記受光光軸３１と合致する様に偏向される。前記第１反射鏡２９と前記第２反射鏡３２とで射出光軸偏向部が構成される。
【００３１】
前記発光素子２７はパルスレーザ光線を発し、前記測距光射出部１１は、前記発光素子２７から発せられたパルスレーザ光線を測距光２３として射出する。
【００３２】
前記受光部１２について説明する。該受光部１２には、測定対象物（即ち測定点）からの反射測距光２４が入射する。前記受光部１２は、前記受光光軸３１を有し、該受光光軸３１には、上記した様に、前記第１反射鏡２９、前記第２反射鏡３２によって偏向された前記射出光軸２６が合致する。尚、該射出光軸２６と前記受光光軸３１とが合致した状態を測距光軸４０とする（図１参照）。
【００３３】
偏向された前記射出光軸２６上に、即ち前記受光光軸３１上に光軸偏向部３５（後述）が配設される。該光軸偏向部３５の中心を透過する真直な光軸は、前記基準光軸Ｏとなっている。該基準光軸Ｏは、前記光軸偏向部３５によって偏向されなかった時の前記射出光軸２６又は前記受光光軸３１と合致する。
【００３４】
前記光軸偏向部３５を透過し、入射した前記受光光軸３１上に結像レンズ３４が配設され、又受光素子３３、例えばフォトダイオード（ＰＤ）が設けられている。前記結像レンズ３４は、前記反射測距光２４を前記受光素子３３に結像する。該受光素子３３は前記反射測距光２４を受光し、受光信号を発生する。受光信号は、前記測距演算部１３に入力される。該測距演算部１３は、受光信号に基づき測定点迄の測距を行う。
【００３５】
図３を参照して、前記光軸偏向部３５について説明する。
【００３６】
該光軸偏向部３５は、一対の光学プリズム３６ａ，３６ｂから構成される。該光学プリズム３６ａ，３６ｂは、それぞれ円板状であり、前記受光光軸３１上に直交して配置され、重なり合い、平行に配置されている。前記光学プリズム３６ａ，３６ｂとして、それぞれフレネルプリズムが用いられることが、装置を小型化する為に好ましい。
【００３７】
前記光軸偏向部３５の中央部は、前記測距光２３が透過し、射出される第１光軸偏向部である測距光偏向部３５ａとなっており、中央部を除く部分は前記反射測距光２４が透過し、入射する第２光軸偏向部である反射測距光偏向部３５ｂとなっている。
【００３８】
前記光学プリズム３６ａ，３６ｂとして用いられるフレネルプリズムは、それぞれ平行に形成されたプリズム要素３７ａ，３７ｂと多数のプリズム要素３８ａ，３８ｂによって構成され、円板形状を有する。前記光学プリズム３６ａ，３６ｂ及び各プリズム要素３７ａ，３７ｂ及びプリズム要素３８ａ，３８ｂは同一の光学特性を有する。
【００３９】
前記プリズム要素３７ａ，３７ｂは、前記測距光偏向部３５ａを構成し、前記プリズム要素３８ａ，３８ｂは前記反射測距光偏向部３５ｂを構成する。
【００４０】
前記フレネルプリズムは光学ガラスから製作してもよいが、光学プラスチック材料でモールド成形したものでもよい。光学プラスチック材料でモールド成形することで、安価なフレネルプリズムを製作できる。
【００４１】
前記光学プリズム３６ａ，３６ｂはそれぞれ前記受光光軸３１を中心に独立して個別に回転可能に配設されている。前記光学プリズム３６ａ，３６ｂは、回転方向、回転量、回転速度を独立して制御されることで、射出される前記測距光２３の前記射出光軸２６を任意の方向に偏向し、受光される前記反射測距光２４の前記受光光軸３１を前記射出光軸２６と平行に偏向する。
【００４２】
前記光学プリズム３６ａ，３６ｂの外形形状は、それぞれ前記受光光軸３１を中心とする円形であり、前記反射測距光２４の広がりを考慮し、充分な光量を取得できる様、前記光学プリズム３６ａ，３６ｂの直径が設定されている。
【００４３】
前記光学プリズム３６ａの外周にはリングギア３９ａが嵌設され、前記光学プリズム３６ｂの外周にはリングギア３９ｂが嵌設されている。
【００４４】
前記リングギア３９ａには駆動ギア４１ａが噛合し、該駆動ギア４１ａはモータ４２ａの出力軸に固着されている。同様に、前記リングギア３９ｂには駆動ギア４１ｂが噛合し、該駆動ギア４１ｂはモータ４２ｂの出力軸に固着されている。前記モータ４２ａ，４２ｂは、前記モータドライバ１６に電気的に接続されている。
【００４５】
前記モータ４２ａ，４２ｂは、回転角を検出することができるもの、或は駆動入力値に対応した回転をするもの、例えばパルスモータが用いられる。或は、モータの回転量（回転角）を検出する回転角検出器、例えばエンコーダ等を用いてモータの回転量を検出してもよい。前記モータ４２ａ，４２ｂの回転量がそれぞれ検出され、前記モータドライバ１６により前記モータ４２ａ，４２ｂが個別に制御される。尚、エンコーダを直接前記リングギア３９ａ，３９ｂにそれぞれ取付け、エンコーダにより前記リングギア３９ａ，３９ｂの回転角を直接検出する様にしてもよい。
【００４６】
前記駆動ギア４１ａ，４１ｂ、前記モータ４２ａ，４２ｂは、前記測距光射出部１１と干渉しない位置、例えば前記リングギア３９ａ，３９ｂの下側に設けられている。
【００４７】
前記投光レンズ２８、前記第１反射鏡２９、前記第２反射鏡３２、前記測距光偏向部３５ａ等は、投光光学系を構成し、前記反射測距光偏向部３５ｂ、前記結像レンズ３４等は受光光学系を構成する。
【００４８】
前記測距演算部１３は、前記発光素子２７を制御し、前記測距光２３としてパルスレーザ光線を発光させる。該測距光２３が、前記プリズム要素３７ａ，３７ｂ（前記測距光偏向部３５ａ）により、測定点に向う様前記射出光軸２６が偏向される。
【００４９】
測定対象物から反射された前記反射測距光２４は、前記プリズム要素３８ａ，３８ｂ（前記反射測距光偏向部３５ｂ）、前記結像レンズ３４を介して入射し、前記受光素子３３に受光される。該受光素子３３は、受光信号を前記測距演算部１３に送出し、該測距演算部１３は前記受光素子３３からの受光信号に基づき、パルス光毎に測定点（測距光が照射された点）の測距を行い、測距データは前記第１記憶部２０に格納される。而して、前記測距光２３をスキャンしつつ、パルス光毎に測距を行うことで各測定点の測距データが取得できる。
【００５０】
前記射出方向検出部１５は、前記モータ４２ａ，４２ｂに入力する駆動パルスをカウントすることで、前記モータ４２ａ，４２ｂの回転角を検出する。或は、エンコーダからの信号に基づき、前記モータ４２ａ，４２ｂの回転角を検出する。又、前記射出方向検出部１５は、前記モータ４２ａ，４２ｂの回転角に基づき、前記光学プリズム３６ａ，３６ｂの回転位置を演算する。更に、前記射出方向検出部１５は、前記光学プリズム３６ａ，３６ｂの屈折率と回転位置に基づき、測距光の偏角、射出方向を演算し、演算結果は前記演算制御部１９に入力される。
【００５１】
該演算制御部１９は、測距光の偏角、射出方向から測定点の水平角、鉛直角を演算し、各測定点について、水平角、鉛直角を前記測距データに関連付けることで、測定点の３次元データを求めることができる。
【００５２】
前記姿勢検出部１７について説明する。尚、該姿勢検出部１７としては、特許文献２に開示された姿勢検出部を使用することができる。
【００５３】
該姿勢検出部１７は、フレーム４５を有し、該フレーム４５は前記筐体９に固定され、或は構造部材に固定され、前記レーザスキャナ３と一体となっている。
【００５４】
前記フレーム４５にジンバルを介してセンサブロック４６が取付けられている。該センサブロック４６は、直交する２軸を中心に３６０゜回転自在となっている。
【００５５】
該センサブロック４６には、第１傾斜センサ４７、第２傾斜センサ４８が取付けられている。
【００５６】
前記第１傾斜センサ４７は水平を高精度に検出するものであり、例えば水平液面に検出光を入射させ反射光の反射角度の変化で水平を検出する傾斜検出器、或は封入した気泡の位置変化で傾斜を検出する気泡管である。又、前記第２傾斜センサ４８は傾斜変化を高応答性で検出するものであり、例えば加速度センサである。
【００５７】
前記センサブロック４６の前記フレーム４５に対する２軸についての相対回転角は、エンコーダ４９，５０によって検出される様になっている。
【００５８】
又、前記センサブロック４６を回転させ、水平に維持するモータ（図示せず）が前記２軸に関して設けられており、該モータは、前記第１傾斜センサ４７、前記第２傾斜センサ４８からの検出結果に基づき前記センサブロック４６を水平に維持する様に、前記演算制御部１９によって制御される。
【００５９】
前記センサブロック４６が傾斜していた場合（前記レーザスキャナ３が傾斜していた場合）、前記センサブロック４６に対する相対回転角が前記エンコーダ４９，５０によって検出され、該エンコーダ４９，５０の検出結果に基づき、前記レーザスキャナ３の傾斜角、傾斜方向が検出される。
【００６０】
前記センサブロック４６は、２軸について３６０゜回転自在であるので、前記姿勢検出部１７がどの様な姿勢となろうとも（例えば、該姿勢検出部１７の天地が逆になった場合でも）、全方向での姿勢検出が可能である。
【００６１】
姿勢検出に於いて、高応答性を要求する場合は、前記第２傾斜センサ４８の検出結果に基づき姿勢検出と姿勢制御が行われるが、該第２傾斜センサ４８は前記第１傾斜センサ４７に比べ検出精度が悪いのが一般的である。
【００６２】
前記姿勢検出部１７では、高精度の前記第１傾斜センサ４７と高応答性の前記第２傾斜センサ４８を具備することで、該第２傾斜センサ４８の検出結果に基づき姿勢制御を行い、前記第１傾斜センサ４７により高精度の姿勢検出を可能とする。
【００６３】
該第１傾斜センサ４７の検出結果で、前記第２傾斜センサ４８の検出結果を較正することができる。即ち、前記第１傾斜センサ４７が水平を検出した時の前記エンコーダ４９，５０の値、即ち実際の傾斜角と前記第２傾斜センサ４８が検出した傾斜角との間で偏差を生じれば、該偏差に基づき前記第２傾斜センサ４８の傾斜角を較正することができる。
【００６４】
従って、予め、該第２傾斜センサ４８の検出傾斜角と、前記第１傾斜センサ４７による水平検出と前記エンコーダ４９，５０の検出結果に基づき求めた傾斜角との関係を取得しておけば、前記第２傾斜センサ４８に検出された傾斜角の較正（キャリブレーション）をすることができ、該第２傾斜センサ４８による高応答性での姿勢検出の精度を向上させることができる。
【００６５】
前記演算制御部１９は、傾斜の変動が大きい時、傾斜の変化が速い時は、前記第２傾斜センサ４８からの信号に基づき、前記モータを制御する。又、前記演算制御部１９は、傾斜の変動が小さい時、傾斜の変化が緩やかな時、即ち前記第１傾斜センサ４７が追従可能な状態では、該第１傾斜センサ４７からの信号に基づき、前記モータを制御する。
【００６６】
尚、前記第１記憶部２０には、前記第１傾斜センサ４７の検出結果と前記第２傾斜センサ４８の検出結果との比較結果を示す対比データが格納されている。前記第２傾斜センサ４８からの信号に基づき、該第２傾斜センサ４８による検出結果を較正する。この較正により、該第２傾斜センサ４８による検出結果を前記第１傾斜センサ４７の検出精度迄高めることができる。よって、前記姿勢検出部１７による姿勢検出に於いて、高精度を維持しつつ高応答性を実現することができる。
【００６７】
前記撮像部１４は、前記レーザスキャナ３の前記基準光軸Ｏと平行な撮像光軸４３を有し、例えば５０°の画角を有するカメラであり、前記レーザスキャナ３のスキャン範囲を含む画像データを取得する。前記撮像光軸４３と前記射出光軸２６及び前記基準光軸Ｏとの関係は既知となっている。又、前記撮像部１４は、動画像、又は連続画像が取得可能である。
【００６８】
前記撮像制御部２１は、前記撮像部１４の撮像を制御する。前記撮像制御部２１は、前記撮像部１４が前記動画像、又は連続画像を撮像する場合に、該動画像、又は連続画像を構成するフレーム画像を取得するタイミングと前記レーザスキャナ３でスキャンするタイミングとの同期を取っている。前記演算制御部１９は画像と点群データとの関連付けも実行する。
【００６９】
前記撮像部１４の撮像素子４４は、画素の集合体であるＣＣＤ、或はＣＭＯＳセンサであり、各画素は画像素子上での位置が特定できる様になっている。例えば、各画素は、前記撮像光軸４３を原点とした座標系での画素座標を有し、該画素座標によって画像素子上での位置が特定される。
【００７０】
前記画像処理部２２は、前記撮像部１４で取得した画像データを、エッジ抽出処理、特徴点の抽出、画像トラッキング処理、画像マッチング等の画像処理を行い、又画像データから濃淡画像を作成する。
【００７１】
前記レーザスキャナ３の測定作動について説明する。
【００７２】
前記三脚２を既知点、又は所定点に設置し、前記基準光軸Ｏを測定対象物に向ける。この時の該基準光軸Ｏの水平角は、前記回転台５の水平角検出機能によって検出され、前記基準光軸Ｏの水平に対する傾斜角は前記姿勢検出部１７によって検出される。
【００７３】
前記光軸偏向部３５の偏向作用、スキャン作用について、図４（Ａ）、図４（Ｂ）、図４（Ｃ）を参照して説明する。
【００７４】
尚、図４（Ａ）では説明を簡略化する為、前記光学プリズム３６ａ，３６ｂについて、前記プリズム要素３７ａ，３７ｂと前記プリズム要素３８ａ，３８ｂとを分離して示している。又、図４（Ａ）は、前記プリズム要素３７ａ，３７ｂ、前記プリズム要素３８ａ，３８ｂが同方向に位置した状態を示しており、この状態では最大の偏角が得られる。又、最小の偏角は、前記光学プリズム３６ａ，３６ｂのいずれか一方が１８０゜回転した位置であり、前記光学プリズム３６ａ，３６ｂの相互の光学作用が相殺され、偏角は０゜となる。従って、該光学プリズム３６ａ，３６ｂを経て射出、受光されるレーザ光線の光軸（前記測距光軸４０）は前記基準光軸Ｏと合致する。
【００７５】
前記発光素子２７から前記測距光２３が発せられ、該測距光２３は前記投光レンズ２８で平行光束とされ、前記測距光偏向部３５ａ（前記プリズム要素３７ａ，３７ｂ）を透過して測定対象物或は測定範囲に向けて射出される。ここで、前記測距光偏向部３５ａを透過することで、測距光は前記プリズム要素３７ａ，３７ｂによって所要の方向に偏向されて射出される。
【００７６】
測定対象物或は測定範囲で反射された前記反射測距光２４は、前記反射測距光偏向部３５ｂを透過して入射され、前記結像レンズ３４により前記受光素子３３に集光される。
【００７７】
反射測距光が前記反射測距光偏向部３５ｂを透過することで、反射測距光の光軸は、前記受光光軸３１と合致する様に前記プリズム要素３８ａ，３８ｂによって偏向される（図４（Ａ））。
【００７８】
前記光学プリズム３６ａと前記光学プリズム３６ｂとの回転位置の組合わせにより、射出する測距光の偏向方向、偏角を任意に変更することができる。
【００７９】
又、前記光学プリズム３６ａと前記光学プリズム３６ｂとの位置関係を固定した状態で（前記光学プリズム３６ａと前記光学プリズム３６ｂとで得られる偏角を固定した状態で）、前記モータ４２ａ，４２ｂにより、前記光学プリズム３６ａと前記光学プリズム３６ｂとを一体に回転すると、前記測距光偏向部３５ａを透過した測距光が描く軌跡は前記測距光軸４０を中心とした円となる。
【００８０】
従って、前記発光素子２７よりレーザ光線を発光させつつ、前記光軸偏向部３５を回転させれば、前記測距光２３を円の軌跡でスキャンさせることができる。尚、前記反射測距光偏向部３５ｂは、前記測距光偏向部３５ａと一体に回転していることは言う迄もない。
【００８１】
次に、図４（Ｂ）は前記光学プリズム３６ａと前記光学プリズム３６ｂとを相対回転させた場合を示している。前記光学プリズム３６ａにより偏向された光軸の偏向方向を偏向Ａとし、前記光学プリズム３６ｂにより偏向された光軸の偏向方向を偏向Ｂとすると、前記光学プリズム３６ａ，３６ｂによる光軸の偏向は、該光学プリズム３６ａ，３６ｂ間の角度差θとして、合成偏向Ｃとなる。
【００８２】
従って、前記光学プリズム３６ａと前記光学プリズム３６ｂを逆向きに同期して等速度で往復回転させた場合、前記光学プリズム３６ａ，３６ｂを透過した測距光は、直線状にスキャンされる。従って、前記光学プリズム３６ａと前記光学プリズム３６ｂとを逆向きに等速度で往復回転させることで、図４（Ｂ）に示される様に、測距光を合成偏向Ｃ方向に直線の軌跡５２で往復スキャンさせることができる。
【００８３】
更に、図４（Ｃ）に示される様に、前記光学プリズム３６ａの回転速度に対して遅い回転速度で前記光学プリズム３６ｂを回転させれば、角度差θは漸次増大しつつ測距光が回転されるので、測距光のスキャン軌跡は、スパイラル状となる。
【００８４】
更に又、前記光学プリズム３６ａ、前記光学プリズム３６ｂの回転方向、回転速度を個々に制御することで、測距光のスキャン軌跡を前記基準光軸Ｏを中心とした照射方向（半径方向のスキャン）とし、或は水平、垂直方向とする等、種々のスキャンパターンが得られる。
【００８５】
図５は、スキャンパターンの一例を示している。図５が示すスキャンパターン５３は、花びら形状のスキャンパターン（以下、花びらパターン）となっている。
【００８６】
該スキャンパターン５３は、例えば一方の光学プリズム３６ａを２５回転、他方の光学プリズム３６ｂを逆方向に５回転することで得られたものである。前記スキャンパターン５３の場合、２５回転／逆５回転が１パターン周期となる。又、スキャンする過程で測定を実行することで、前記スキャンパターン５３のスキャン軌跡に沿ってスキャンデータが得られる。尚、前記光学プリズム３６ａ，３６ｂの回転比、回転方向は求めるスキャンパターンによって、適宜選択される。
【００８７】
ここで、反射測距光を前記受光素子３３が受光し、該受光素子３３が発する受光信号に基づき前記測距演算部１３で距離が演算される。又、前記受光素子３３は反射測距光の光量に応じた受光信号を発するので、スキャンデータは測距データと反射光量データを含んでいる。
【００８８】
又、スキャンデータの密度を高める場合は、１パターン周期毎に所定角度、前記光学プリズム３６ａ，３６ｂを一体に回転し、同様に前記スキャンパターン５３でスキャンすることで、該スキャンパターン５３が所定角度ステップで回転したパターンが得られ、スキャン密度を高めたスキャンパターンとなる。
【００８９】
次に、前記レーザスキャナ３が実行する測定の態様としては、前記光軸偏向部３５（前記光学プリズム３６ａ，３６ｂ）を所要偏角毎に固定して測距を行うことで、特定の測定点についての測距を行うことができる。又、測距時の方向角（水平角、鉛直角）は前記射出方向検出部１５の検出結果に基づき取得できる。又、前記レーザスキャナ３の水平に対する傾斜及び傾斜方向は、前記姿勢検出部１７によって検出でき、該姿勢検出部１７の検出結果に基づき測定結果を水平基準のデータに補正することができる。即ち、前記レーザスキャナ３をトータルステーションと同様に使用することができる。
【００９０】
更に、前記光軸偏向部３５の偏角を連続的に変更しつつ、測距を実行することで、即ち測距光をスキャンしつつ測距を実行することでスキャン軌跡に沿って測距データ（スキャンデータ）を取得することができる。
【００９１】
又、スキャン速度、スキャン密度等で定まるスキャン条件について、スキャン速度は、前記モータ４２ａ，４２ｂ間の関係を維持して、回転速度を増減することで、増減し、スキャン密度は、スキャン速度と測距光のパルス発光周期との関係を制御することで所望の値に設定できる。
【００９２】
又、測距時の測距光の射出方向角は、前記モータ４２ａ，４２ｂの回転角により検出でき、測距時の射出方向角と測距データとを関連付けることで、３次元の測距データを取得することができる。
【００９３】
従って、前記レーザスキャナ３を３次元位置データを有する点群データを取得するレーザスキャナとして機能させることができる。
【００９４】
図５で示した前記スキャンパターン５３は、前記光学プリズム３６ａ，３６ｂを全周回転させ、測定範囲全域をスキャンするものであるが、測定範囲を局部的に設定し、局部的に細密にスキャンを行うパターンを設定することもできる。
【００９５】
図６（Ａ）、図６（Ｂ）は、局部的にスキャン（局所スキャン）を行うスキャンパターンの一例を示している。
【００９６】
図６（Ａ）に示すスキャンパターン５４ａは、図４（Ｂ）で示される直線スキャンを一スキャン毎に前記光学プリズム３６ａ，３６ｂを一体に所定角度ステップｐ１だけ回転させることで得られる。尚、図６（Ａ）中、Ｓ１はスキャン方向を示す。
【００９７】
又、直線スキャンの長さＬ１は、図４（Ｂ）中で示される、角度差θの変動の幅を選択することで設定でき、直線スキャンの速度も、前記モータ４２ａ，４２ｂの回転速度の制御で任意に設定できる。又、角度ステップｐ１は、前記光学プリズム３６ａ，３６ｂを一体に回転させる際の送り角を選択することで任意に設定できる。
【００９８】
図６（Ｂ）に示すスキャンパターン５４ｂは、前記光学プリズム３６ａ，３６ｂにより前記測距光軸４０の偏角を設定した後、前記光学プリズム３６ａ，３６ｂを一体に所定角度回転させ、周方向に円弧スキャンさせ、１円弧スキャン毎に偏角を半径方向に所定送りステップｐ２で変更させることで得られる。尚、図６（Ｂ）中、Ｓ２はスキャン方向を示す。
【００９９】
又、円弧スキャンの長さＬ２は、前記光学プリズム３６ａ，３６ｂを一体で回転させる回転角を設定することで、任意に決定される。円弧スキャンの速度も、前記モータ４２ａ，４２ｂの回転速度の制御で任意に設定できる。又、偏角のステップも、前記光学プリズム３６ａ，３６ｂ間の相対角度を選定することで任意に設定できる。
【０１００】
尚、局所スキャンのパターンについては、前記光学プリズム３６ａ，３６ｂの回転を個々に制御することで、種々のパターンを設定できることは言う迄もない。
【０１０１】
以下、前記レーザスキャナ３による測定について、図１、図７〜図１１を参照して更に説明する。
【０１０２】
前記レーザスキャナ３を前記三脚２を介して、既知点或は所定点に設置する。
【０１０３】
前記基準光軸Ｏを測定対象物に向け、測定範囲を設定する（ＳＴＥＰ：０１）。
【０１０４】
尚、測定範囲は、前記撮像部１４で取得した画像から設定してもよく、或は事前に測定範囲が決められていれば、決定されている測定範囲の中心に前記基準光軸Ｏを向ける。
【０１０５】
図８に示される様に、最初に前記光軸偏向部３５により前記測距光軸４０を最大偏角で偏向し、最大偏角で前記測距光２３を１回転スキャンする（円スキャンの実行）ことで測定範囲を示す円軌跡５５が得られる。従って、該円軌跡５５に基づき最終的な測定範囲を設定してもよい。尚、前記撮像部１４の画角は、該円軌跡５５で示される測定範囲を含む大きさとなっている。
【０１０６】
次に、全体スキャンパターンを選択する。例えば、図５で示した花びらパターン（前記スキャンパターン５３）が選択され、該スキャンパターン５３に従ってスキャンが開始される（ＳＴＥＰ：０２）。
【０１０７】
前記スキャンパターン５３により、測定範囲全体をスキャン（全体スキャン５６）し、スキャンデータを取得する（図７参照）。又、より細かく、測定範囲全体のスキャンデータが必要であれば、前記スキャンパターン５３の一周期を実行する度に、該スキャンパターン５３を所定角度ステップで回転させながら、スキャンを実行する。ステップ送りが所定の角度に到達することで測定範囲全体のより細かいスキャンデータを取得することができる（ＳＴＥＰ：０３）。
【０１０８】
上記した様に、スキャンデータは距離データと反射光量データを含んでいる。距離データに基づき距離画像を作成する。ここで距離画像とは、距離に応じた表示がされた画像であり、例えば距離に応じて色分けされた画像、等高線又は等高線と類似の表記を含む画像等である。又、前記反射光量に基づき、濃淡画像を作成することもできる。
【０１０９】
又、前記全体スキャン５６の実行に同期させ、前記撮像部１４により画像を取得する。全体スキャン５６の実行と、画像の取得とを同期させることで、スキャンデータと画像との関連付けが容易になる（ＳＴＥＰ：０４）。
【０１１０】
尚、前記全体スキャン５６の実行と画像の取得との同期は、必ずしも、該全体スキャン５６の開始時と画像の取得とが一致している必要はなく、スキャン途中の測定点の測定時と画像取得時とが明確になっていればよい。
【０１１１】
測定対象物が建築物である様な場合、通常測定対象物は平面で構成されている。従って、壁面等平面のスキャンデータを取得する場合は、少ない測定点（低い点群密度）で平面の測定が可能である。
【０１１２】
一方、平面と平面との交差部位（稜線部分）については、高い点群密度で測定する必要がある。交差部位等、高い点群密度が要求される部位については、局所測定範囲を設定し、図６（Ａ）、図６（Ｂ）に示される様な局所スキャン５７が実行される（図８参照）（ＳＴＥＰ：０５）。
【０１１３】
該局所スキャン５７で実行されるスキャンパターンは、測定部位の状況によって適宜選択される。例えば、鉛直に延びる稜線部分を局所スキャンする場合は、走査方向が稜線と交差する前記スキャンパターン５４ｂが選択される等である。
【０１１４】
前記局所スキャン５７で得られたスキャンデータから局所距離画像、局所濃淡画像を作成する。
【０１１５】
該局所スキャン５７実行時に、該局所スキャン５７と同期して前記撮像部１４により画像を取得し、局所スキャンのスキャンデータと局所スキャン時の画像と全体スキャン時の画像とを画像マッチングさせ、画像同士のマッチングにより、局所スキャンデータと全体スキャンデータとのマッチング、局所スキャンデータと全体スキャン時の画像とのマッチングを行ってもよい。
【０１１６】
又、局所スキャンを実行するかどうか、又局所スキャンを実行する部位の選択については、全体スキャン時に取得した画像から、作業者が目視で判断してもよく、局所スキャンの条件についても、作業者の判断で設定してもよい。尚、鉛直方向に延びる稜線等について、稜線が鉛直と想定される場合は、稜線の上下部分について、局所スキャンが実行されればよい。
【０１１７】
或は、局所スキャンの部位、範囲、スキャン条件は画像処理の結果に基づき、自動的に決定してもよい。
【０１１８】
画像をエッジ処理し、特徴点を抽出し、特徴点を中心に所定範囲を局所スキャン範囲として設定する。或はエッジ抽出し、エッジが多く抽出された部位を含む様に局所スキャンの範囲が設定される。抽出したエッジの状態から、スキャンパターンが選択され、スキャン密度が設定され、局所スキャンが実行される（ＳＴＥＰ：０６）。
【０１１９】
尚、スキャン密度については、前記モータ４２ａ，４２ｂの回転速度制御によってスキャンスピード、スキャンピッチを自在に設定できるので、所望のスキャン密度が得られる。
【０１２０】
全体スキャンと局所スキャンで得られたスキャンデータを画像上で重ね合せると、図９に示される様になる。尚、図９では、前記局所スキャン５７は１個所となっているが、細密なスキャンデータが必要な部位に対応して、複数個所に設定されることは言う迄もない。
【０１２１】
尚、全体スキャンを実行する前に、事前に局所スキャンの部位、範囲を設定してもよい。この場合、全体スキャンする過程に、局所スキャンを組込んでもよい。
【０１２２】
前記全体スキャン５６と前記局所スキャン５７とを組合わせることで、不要なスキャンを省略し、必要な部位だけ細密なスキャンデータを取得でき、作業効率がよく、実用的な測定が行える（ＳＴＥＰ：０７）。
【０１２３】
次に、局所スキャンデータに基づき画像歪み補正することができる。
【０１２４】
前記撮像部１４で取得した画像は、レンズの特性から歪みを含んでいる。
【０１２５】
図１０に示される様に、複数個所について前記局所スキャン５７を実行する。好ましくは、画像の歪みが現れやすい、画像の周辺、例えば、前記円軌跡５５に沿った複数個所について前記局所スキャン５７を実行する。
【０１２６】
又、局所スキャンデータと全体画像の局所該当部位との間での比較処理を行う（ＳＴＥＰ：０８）。比較処理は、エッジ抽出処理が行われた全体画像との間で行ってもよい。
【０１２７】
局所スキャンデータは、距離データと該距離データに関連付けられた角度データを含んでいるので、距離データ及び角度データに基づき画像の歪みを補正することができる（ＳＴＥＰ：０９）。
【０１２８】
上記した様に、本実施例では、前記モータ４２ａ，４２ｂの駆動制御によってスキャン速度、スキャンパターン等、スキャンの状態を任意に設定できる。従って、スキャン実行中に速度を変更すること、スキャンパターンを変更することが可能である。
【０１２９】
図１２は、更に細密な測定データを得る為のスキャン態様を示している。
【０１３０】
図１２中、Ｄは前記測距光２３の照射位置でのビーム径を示し、ｐ３は測定ピッチ（測定点間のピッチ）を示し、Ｓ３はスキャン方向を示している。
【０１３１】
局所スキャンを実行する際に、測定ピッチｐ３が、ビーム径Ｄより小さくなる様に、前記演算制御部１９によりスキャン速度、発光タイミングが制御される。
【０１３２】
測定ピッチｐ３をビーム径Ｄより小さくしてスキャンし、各測距光毎に（各照射位置毎に）、測距を実行し、各測距光毎に測距結果を取得することで、測定ピッチｐ３に対応した分解能が得られる。又、測距データを取得すると同時に、前記受光素子３３からの受光信号に基づき各測定点での光量を検出する。
【０１３３】
従って、ビーム径サイズ以下の分解能で測距データ、光量データを取得することができる。
【０１３４】
上記した実施例では、前記レーザスキャナ３を前記三脚２に設けた場合を説明したが、該レーザスキャナ３は、高精度、高応答性を有し、而も全姿勢での前記レーザスキャナ３の傾斜を検出することができるので、支持装置を一脚（図示せず）とし、一脚の上端に前記レーザスキャナ３を設けてもよい。一脚の支持により、前記レーザスキャナ３が傾斜した状態で測定が実行されても、前記姿勢検出部１７により測定時の前記レーザスキャナ３の姿勢がリアルタイムで検出できるので、前記レーザスキャナ３の測定結果を前記姿勢検出部１７の検出結果により補正することができる。
【０１３５】
同様に、前記レーザスキャナ３を手に持ち、手持状態で測定を実行しても、前記姿勢検出部１７の検出結果で、測定結果を補正できるので、高精度の測定が行える。
【符号の説明】
【０１３６】
１              測量システム
２              三脚
３              レーザスキャナ
４              操作装置
５              回転台
１１            測距光射出部
１２            受光部
１３            測距演算部
１４            撮像部
１５            射出方向検出部
１７            姿勢検出部
１９            演算制御部
２０            第１記憶部
２１            撮像制御部
２２            画像処理部
２３            測距光
２４            反射測距光
２７            発光素子
３３            受光素子
３５            光軸偏向部
３５ａ          測距光偏向部
３５ｂ          反射測距光偏向部
３６ａ，３６ｂ  光学プリズム
３７ａ，３７ｂ  プリズム要素
３８ａ，３８ｂ  プリズム要素
４０            測距光軸
４２ａ，４２ｂ  モータ
５３            スキャンパターン
５５            円軌跡
５６            全体スキャン
５７            局所スキャン
【図１】
2018066571.tif 000003
【図２】
2018066571.tif 000004
【図３】
2018066571.tif 000005
【図４】
2018066571.tif 000006
【図５】
2018066571.tif 000007
【図６】
2018066571.tif 000008
【図７】
2018066571.tif 000009
【図８】
2018066571.tif 000010
【図９】
2018066571.tif 000011
【図１０】
2018066571.tif 000012
【図１１】
2018066571.tif 000013
【図１２】
2018066571.tif 000014